(57)【要約】【課題】ファン組立体及びファン組立体のためのスタンドを提供する。【解決手段】ファン組立体は、ベースと、本体とを備え、該本体は、空気入口、インペラ及びモータを含む。ファン組立体はまた、空気出口と、内部通路を含む。ベース内に収容される電動式首振り機構は、首振り軸線の周りでベースに対して本体を首振りする。首振り機構は、第２のモータと、該第２のモータによって駆動される駆動部材と、該駆動部材によって駆動されて首振り軸線の周りで回転する被駆動部材と、を含む。被駆動部材は、ベースに接続されて該エースに対して回転するようになり、本体は、共に回転するように被駆動部材上に装着される。相互連結部材は、被駆動部材上で本体を保持する。相互連結部材は、傾斜軸線の周りでベースに対して本体の傾斜移動を案内する働きをする。【選択図】図３
2015017610.tif 000002
【特許請求の範囲】
【請求項１】
ファン組立体であって、
ベースと、
少なくとも１つの空気入口、インペラ、及び前記少なくとも１つの空気入口を通じて空気流を引き込むようインペラを駆動するための第１のモータを含む本体と、
少なくとも１つの空気出口と、
前記少なくとも１つの空気出口に空気を運び、前記少なくとも１つの空気出口から放出される空気によりそこを通って前記ファン組立体の外部から空気が引き込まれるボアの周りに延びる内部通路と、
首振り軸線の周りで前記ベースに対して前記本体を首振りするため前記ベース内に収容された電動式首振り機構と、
を備え、前記首振り機構が、
第２のモータと、前記第２のモータによって駆動される駆動部材と、前記駆動部材によって駆動されて前記首振り軸線の周りで前記ベースに対して回転する被駆動部材と、を含み、前記本体が共に回転するように前記被駆動部材上に装着されており、
前記ファン組立体が更に、
前記被駆動部材上で前記本体を保持するための相互連結部材を備え、前記相互連結部材が、非傾斜位置と傾斜位置との間で前記首振り軸とは異なる傾斜軸線の周りで前記ベースに対して前記本体の傾斜移動を案内するように構成されている、ファン組立体。
【請求項２】
前記駆動部材が、前記被駆動部材の周辺部と係合するよう構成される、請求項１に記載のファン組立体。
【請求項３】
前記駆動部材及び前記被駆動部材の各々がギアの形態である、請求項１又は請求項２に記載のファン組立体。
【請求項４】
前記駆動部材及び前記被駆動部材の各々が平歯車の形態である、請求項１〜３の何れかに記載のファン組立体。
【請求項５】
前記相互連結部材の各々が湾曲フランジを含む、請求項１〜４の何れかに記載のファン組立体。
【請求項６】
前記傾斜軸線の周りで前記ベースに対して前記本体の移動を作動させるための電動式駆動機構を備える、請求項１〜５の何れかに記載のファン組立体。
【請求項７】
前記駆動機構が、第３のモータと、該第３のモータによって駆動される第２の駆動部材とを含み、前記第２の駆動部材が前記被駆動部材と係合する、請求項６に記載のファン組立体。
【請求項８】
前記第３のモータが前記本体に接続される、請求項７に記載のファン組立体。
【請求項９】
前記本体が、前記第２の相互連結部材が接続される傾斜プレートを含み、前記第３のモータが、前記傾斜プレート上に装着される、請求項８に記載のファン組立体。
【請求項１０】
前記第２の駆動部材がギアを含み、前記被駆動部材が、前記第２の駆動部材の歯と係合するための歯のセットを含む、請求項７〜９の何れかに記載のファン組立体。
【請求項１１】
前記相互連結部材が、前記被駆動部材上に位置する第１の相互連結部材と、前記本体上に位置し前記第１の相互連結部材によって保持される第２の相互連結部材と、を含む、請求項１〜１０の何れかに記載のファン組立体。
【請求項１２】
前記ベースが、前記ファン組立体の作動を制御するためのユーザインタフェースを含む、請求項１〜１１の何れかに記載のファン組立体。
【請求項１３】
ファン組立体のためのスタンドであって、
ベースと、
少なくとも１つの空気入口、インペラ、前記少なくとも１つの空気入口を通じて空気流を引き込むよう前記インペラを駆動するための第１のモータ、及び空気出口を含む本体と、
首振り軸線の周りで前記ベースに対して前記本体を首振りするため前記ベース内に収容された電動式首振り機構と、
を備え、前記首振り機構が、
第２のモータと、前記第２のモータによって駆動される駆動部材と、前記駆動部材によって駆動されて前記首振り軸線の周りで前記ベースに対して回転する被駆動部材と、を含み、前記本体が共に回転するように前記被駆動部材上に装着されており、
前記スタンドが更に、
前記被駆動部材上で前記本体を保持するための相互連結部材を備え、前記相互連結部材が、非傾斜位置と傾斜位置との間で前記首振り軸とは異なる傾斜軸線の周りで前記ベースに対して前記本体の傾斜移動を案内するように構成されている、スタンド。
【請求項１４】
前記駆動部材が、前記被駆動部材の周辺部と係合するよう構成される、請求項１３に記載のスタンド。
【請求項１５】
前記駆動部材及び前記被駆動部材の各々がギアの形態である、請求項１３又は請求項１４に記載のスタンド。
【請求項１６】
前記駆動部材及び前記被駆動部材の各々が平歯車の形態である、請求項１３〜１５の何れかに記載のスタンド。
【請求項１７】
前記相互連結部材の各々が湾曲フランジを含む、請求項１３〜１６の何れかに記載のスタンド。
【請求項１８】
前記傾斜軸線の周りで前記ベースに対して前記本体の移動を作動させるための電動式駆動機構を備える、請求項１３〜１７の何れかに記載のスタンド。
【請求項１９】
前記駆動機構が、第３のモータと、該第３のモータによって駆動される第２の駆動部材とを含み、前記第２の駆動部材が前記被駆動部材と係合する、請求項１８に記載のスタンド。
【請求項２０】
前記第３のモータが前記本体に接続される、請求項１９に記載のスタンド。
【請求項２１】
前記本体が、前記第２の相互連結部材が接続される傾斜プレートを含み、前記第３のモータが、前記傾斜プレート上に装着される、請求項２０に記載のスタンド。
【請求項２２】
前記第２の駆動部材がギアを含み、前記被駆動部材が、前記第２の駆動部材の歯と係合するための歯のセットを含む、請求項１９〜２１の何れかに記載のスタンド。
【請求項２３】
前記相互連結部材が、前記被駆動部材上に位置する第１の相互連結部材と、前記本体上に位置し前記第１の相互連結部材によって保持される第２の相互連結部材と、を含む、請求項１３〜２２の何れかに記載のスタンド。
【請求項２４】
前記ベースが、前記ファン組立体の作動を制御するためのユーザインタフェースを含む、請求項１３〜２３の何れかに記載のスタンド。
【請求項２５】
ファン組立体のためのスタンドであって、
前記ファン組立体の作動を制御するためのユーザインタフェースを含むベースと、
前記ベース上に装着され、少なくとも１つの空気入口、インペラ、前記少なくとも１つの空気入口を通じて空気流を引き込むように前記インペラを駆動するためのモータ、及び空気出口を含む本体と、
第１の軸線の周りで前記ベースに対して前記本体を首振りするための第１の電動式駆動機構と、
非傾斜位置と傾斜位置との間で前記第１の軸とは異なる第２の軸線の周りで前記ベースに対して前記本体を移動させるための第２の電動式駆動機構と、
を備える、スタンド。
【請求項２６】
前記駆動機構が、前記第１の軸線の周りで前記本体を移動させる第１のトルクと、前記第２の軸線の周りで前記本体を移動させる第２のトルクと、を前記本体に伝達するための共通部材を含む、請求項２５に記載のスタンド。
【請求項２７】
前記共通部材がギアを含む、請求項２６に記載のスタンド。
【請求項２８】
前記共通部材が、前記第１の駆動機構の被駆動部材である、請求項２６又は請求項２７に記載のスタンド。
【請求項２９】
前記本体が前記共通部材上に装着される、請求項２６〜２８の何れかに記載のスタンド。
【請求項３０】
前記駆動機構の各々が、該駆動機構の共通部材と係合するようそれぞれの駆動部材を駆動するそれぞれのモータを含む、請求項２６〜２９の何れかに記載のスタンド。
【請求項３１】
前記第１の駆動機構の前記モータ及び前記駆動部材が前記ベースに接続される、請求項３０に記載のスタンド。
【請求項３２】
前記第２の駆動機構の前記モータ及び前記駆動部材が前記本体に接続される、請求項３０又は請求項３１に記載のスタンド。
【請求項３３】
前記駆動部材が各々、前記共通部材のそれぞれの部分と係合するよう構成される、請求項３０〜３２の何れかに記載のスタンド。
【請求項３４】
前記第１の駆動機構の駆動部材が、前記共通部材の周辺部と係合し、前記第２の駆動機構の駆動部材が、前記共通部材の中央部と係合する、請求項３３に記載のスタンド。
【請求項３５】
前記共通部材の各部分がそれぞれのセットの歯を含む、請求項３４に記載のスタンド。
【請求項３６】
前記第１の駆動機構の作動中に、前記第１の駆動機構の駆動部材と前記共通部材との間の係合が前記第１の軸線の周りでの前記共通部材の回転をもたらし、前記第２の駆動機構の作動中に、前記第２の駆動機構の駆動部材と前記共通部材との間の係合が前記第２の軸線の周りでの前記第２の駆動機構の前記モータ及び前記駆動部材の移動をもたらすように、前記セットの歯が構成される、請求項３５に記載のスタンド。
【請求項３７】
各セットの歯が、前記第１の軸線及び前記第２の軸線のそれぞれの周りに延びる、請求項３５又は請求項３６に記載のスタンド。
【請求項３８】
前記第１の軸線が、前記第２の軸線に対して実質的に直交する、請求項２５〜３７の何れかに記載のスタンド。
【請求項３９】
請求項１３〜３８の何れかに記載のスタンドと、該スタンド上に装着されたノズルとを備えたファン組立体であって、
前記ノズルが、前記本体の前記空気出口から空気流を受け取るための内部通路と、少なくとも１つの空気出口と、を含み、前記内部通路が、前記ノズルの少なくとも１つの空気出口から放出される空気によりそこを通って前記ファン組立体の外部からの空気が引き込まれるボアの周りに延びる、ファン組立体。
【請求項４０】
ファン組立体であって、
前記ファン組立体の作動を制御するためのユーザインタフェースを含むベースと、
前記ベース上に装着され、少なくとも１つの空気入口、インペラ、及び前記少なくとも１つの空気入口を通じて空気流を引き込むように前記インペラを駆動するためのモータを含む本体と、
少なくとも１つの空気出口と、
前記少なくとも１つの空気出口に空気を運び、前記少なくとも１つの空気出口から放出される空気によりそこを通って前記ファン組立体の外部から空気が引き込まれるボアの周りに延びる内部通路と、
第１の軸線の周りで前記ベースに対して前記本体を首振りするための第１の電動式駆動機構と、
非傾斜位置と傾斜位置との間で前記第１の軸とは異なる第２の軸線の周りで前記ベースに対して前記本体を移動させるための第２の電動式駆動機構と、
を備える、ファン組立体。
【発明の詳細な説明】
【技術分野】
【０００１】
本発明は、ファン組立体及びファン組立体のためのスタンドに関する。
【背景技術】
【０００２】
従来の家庭用ファンは、一般に、軸を中心に回転するように装着されたブレード又はベーンのセットと、このブレードのセットを回転させて空気流を生み出すための駆動装置とを含む。空気流の移動及び循環により「風冷（ｗｉｎｄ  ｃｈｉｌｌ）」又は微風が生じ、この結果、対流及び蒸発によって熱が放散するので、ユーザは冷却効果を体験する。
【０００３】
米国特許第５，６０９，４７３号に記載されるような一部のファンは、空気がファンから放出される方向を調整するようユーザに選択肢を与える。米国特許第５，６０９，４７３号では、ファンは、ベースと、該ベースのそれぞれの端部から各々直立する１対のヨークとを含む。ファンの外側本体は、モータ及び回転ブレードのセットを収容する。外側本体は、ベースに対して枢動可能であるようにヨークに固定される。ファン本体は、略垂直の非傾斜位置から傾いた傾斜位置までベースに対して旋回することができる。このようにして、ファンから放出される空気流の方向を変更することができる。
【０００４】
国際公開第２０１０／１００４５１号には、ケージに入れたブレードを使用せずに空気を放出するファン組立体が記載されている。その代わりに、ファン組立体は、一次空気流をスタンド内に吸い込むためのモータ駆動式インペラを収容する円筒形スタンドと、スタンドに連結され、ファンから一次空気流が放出される環状空気出口を備えた環状ノズルとを含む。ノズルは、空気出口から放出される一次空気流によりファン組立体の局所環境の空気を引き込んで一次空気流を増幅させる中央開口部を定める。
【０００５】
スタンドは、ベース及び該ベース上に装着された本体を備える。本体は、モータ駆動式インペラを収容する。本体は、ベースに固定され、該本体をベースに対して押すか又は摺動させることによって、ベースに対して非傾斜位置から傾斜位置に移動させることができるようになっている。ベースは、上側ベース部材と下側ベース部材とに分割される。本体は、上側ベース部材上に装着される。ベースは、下側ベース部材に対して上側ベース部材及び本体を首振りさせるための首振り機構を含む。上側ベース部材は、複数のＬ字形レールが装着された凹状上面を有し、Ｌ字形レールは、本体をベース上に保持して、本体が傾斜位置に移動するか又はその位置から移動する際にベースに対する摺動運動を案内するようになっている。本体は、凸状傾斜プレートが装着される凸状下面を有する。傾斜プレートは、傾斜プレートがベースに固定されたときに上側ベース部材上でレールと連動する複数のＬ字形ランナを備え、ランナのフランジは、共形に成形されたレールのフランジの真下に位置するようになっている。
【０００６】
従って、スタンドは、本体、上側ベース部材及び下側ベース部材の３つの外部構成要素を含む。上側ベース部材は制御パネルを含み、該制御パネルは、複数のユーザ操作可能ボタンと、モータの作動及び回転速度並びに首振り機構の作動のようなファン組立体の操作を制御するためのダイヤルとを含む。首振り機構が作動しているときには、上側ベース部材は、下側ベース部材に対して本体と共に首振りし、そのため、ユーザは、移動制御パネルと相互作用してファン組立体の作動を制御する必要がある。
【先行技術文献】
【特許文献】
【０００７】
【特許文献１】米国特許第５，６０９，４７３号
【特許文献２】国際公開第２０１０／１００４５１号
【特許文献３】国際公開第２０１１／０５５１３４号
【発明の概要】
【発明が解決しようとする課題】
【０００８】
第１の態様において、本発明は、ファン組立体を提供し、該ファン組立体が、
ベースと、
少なくとも１つの空気入口、インペラ及び少なくとも１つの空気入口を通じて空気流を引き込むようインペラを駆動するための第１のモータを含む本体と、
少なくとも１つの空気出口と、
少なくとも１つの空気出口に空気を運び、少なくとも１つの空気出口から放出される空気によりそこを通ってファン組立体の外部から空気が引き込まれるボアの周りに延びる内部通路と、
首振り軸線の周りでベースに対して本体を首振りするためベース内に収容された電動式首振り機構と、
を備え、該首振り機構が、
第２のモータと、該第２のモータによって駆動される駆動部材と、該駆動部材によって駆動されて首振り軸線の周りでベースに対して回転する被駆動部材と、を含み、本体が共に回転するように被駆動部材上に装着されており、
ファン組立体が更に、
被駆動部材上で本体を保持するための相互連結部材と、
を備え、相互連結部材が、非傾斜位置と傾斜位置との間で首振り軸とは異なる傾斜軸線の周りでベースに対して本体の傾斜移動を案内するように構成されている。
【０００９】
従って、本発明は、国際公開第２０１０／１００４５１号のファン組立体のベースの上側及び下側ベース部材を、本体を首振りと傾斜の両方を行わせることができるベースと置き換える。ベースの構成要素の数を低減することに加えて、ベースは、ユーザがファン組立体を制御可能にするユーザインタフェースを備えることができる。このユーザインタフェースは、ベースに対する本体の位置に関係なくユーザに対しファンから固定位置にとどめることができる。
【００１０】
電動式首振り機構は、第２のモータと、モータによって駆動される駆動部材と、駆動部材によって駆動されて首振り軸線の周りで回転する被駆動部材とを含む。第２のモータは、ベースに対して固定位置にとどまるようにベースに接続される。第２のモータは、好ましくは、ステッピングモータである。被駆動部材は、ベース上に装着されて該ベースに対して回転するようになる。被駆動部材を支持してベースに対して回転するようにするために、ベース内に軸受が設けられる。駆動部材は、好ましくは、被駆動部材の周辺部と係合して、被駆動部材を首振り軸線の周りで回転させるように構成される。駆動部材及び被駆動部材は、好ましくは、ギアの形態である。駆動部材は、好ましくは、第２のモータの駆動シャフトに接続された平歯車である。第２のモータの駆動シャフトは、好ましくは、首振り軸線に平行の方向に延びる。被駆動部材はまた、好ましくは、平歯車の形態であり、駆動部材の上に設けられた歯と噛み合う被駆動部材の周辺部上に位置する歯のセットを有する。平歯車の代わりに、螺旋ギア、平歯車、ウォームギア、ラック及びピニオンギア、及び磁気ギアなどの他のギアタイプを使用してもよい。
【００１１】
第２のモータの回転の方向及び速度は、好ましくは、制御回路によって制御される。制御回路は、好ましくは、ベース内に収容される。好ましい実施形態において、ファン組立体は、遠隔制御装置を備え、ユーザが遠隔制御装置の１又はそれ以上のボタンを押下するのに応答して、ユーザインタフェースに制御信号を送信するようにする。ユーザインタフェースは、好ましくは、遠隔制御装置によって送信される制御信号を受信するための受信機を有するユーザインタフェース回路を含む。ユーザインタフェース回路は、受信した制御信号を制御回路に供給する。これにより、ユーザが、遠隔制御器を用いて首振り機構を作動させるのを可能にすることができる。ユーザが、遠隔制御装置を用いることなくファン組立体を作動させるのを可能にするために、ユーザインタフェースはまた、ベース上に装着されるアクチュエータ（例えば、プッシュボタンアクチュエータ）を備え、スイッチに向けたアクチュエータの移動により、ユーザインタフェース回路のスイッチを作動させるようにすることができる。アクチュエータは、遠隔制御装置から受信した制御信号を受信機に伝達するよう構成することができ、従って、好ましくは、ユーザがスイッチに向けてアクチュエータを押すことに応答してスイッチを作動させ、遠隔制御装置によって送信されてアクチュエータに入射する受信機の制御信号を伝送する二重機能を実行することができる。アクチュエータのこの二重機能により、遠隔制御装置により送信された信号を受信機に伝達するために専用の窓又は他の専用の光透過性構成要素なしの電気器具を実現可能になり、これによって製造コストを削減することができる。
【００１２】
上述のように、アクチュエータは、好ましくは、ユーザが押すことによりスイッチが接触して、ファン組立体の動作モード、状態又は設定を変更できるプッシュボタン式アクチュエータである。例えば、ユーザがアクチュエータを押すことに応答して、制御回路は、第１のモータを作動させてインペラを駆動するように構成することができる。或いは、アクチュエータは、摺動式アクチュエータ、回転式アクチュエータ又はダイヤルの形態をとることもできる。プッシュボタン式アクチュエータの形態のアクチュエータを提供する利点は、受信機に光信号を伝達するための光路がスイッチに対するアクチュエータの現在位置に関係なく維持できる点である。
【００１３】
制御回路は、順方向及び逆方向の両方とも設定速度で、或いは順方向及び逆方向の両方とも可変速度で駆動するよう構成することができる。制御回路は、首振りサイクル中に所定の方式で第２のモータの速度を変更するようプログラムすることができる。例えば、第２のモータの速度は、首振りサイクル中に正弦波的に変更することができる。或いは、又はこれに加えて、第２のモータの速度は、遠隔制御装置を用いて変更することができる。各首振りサイクル中、本体は、０〜３６０°の範囲の角度で、好ましくは６０〜２４０°の範囲の角度で首振り軸線の周りで回転することができる。制御回路は、複数の所定の首振りパターンを記憶するよう構成することができ、ユーザは、遠隔制御装置を用いてこれらのパターンのうちの１つを選択することができる。これらの首振りパターンは、９０°、１２０°及び１８０°などの異なる首振り角を有することができる。
【００１４】
本体は、駆動部材上に装着され、該駆動部材と共に及びベースに対して回転するようにする。被駆動部材上で本体を保持するために相互連結部材が設けられる。本体は、好ましくは、被駆動部材上に直接装着され、従って、好ましい実施形態において、相互連結部材は、被駆動部材上に位置する第１の相互連結部材と、本体上に位置し第１の相互連結部材によって保持される第２の相互連結部材とを含む。或いは、本体と本体を被駆動部材に取り付けるための被駆動部材との間に、１又はそれ以上のコネクタ及び／又は接続部材を設けることができ、従って、このような接続部材上に相互連結部材のうちの少なくとも１つを設けることができる。
【００１５】
本体は、好ましくは、本体の外側ケーシングに接続されたプレートを備える。第２の相互連結部材は、好ましくは、このプレートの一部を形成する。プレートは、好ましくは、外側ケーシングに接続され、外側ケーシングがプレートの少なくとも外周を取り囲むようにする。
【００１６】
ファン組立体は、好ましくは、被駆動部材上に本体を維持するためにこれらの相互連結部材の複数の対を備える。相互連結部材の各対は、好ましくは、被駆動部材上に位置する第１の相互連結部材と、本体上に位置し且つ第１の相互連結部材によって保持される第２の相互連結部材とを含む。相互連結部材の各々は、好ましくは、ベースに対して本体の傾斜移動の方向に延びる湾曲フランジを含む。相互連結部材の各対のフランジは、好ましくは、実質的に同じ曲率を有する。組み立て中、第２の相互連結部材のフランジは、第１の相互連結部材のフランジの真下に滑動され、第１の相互連結部材のフランジが被駆動部材から、従ってベースから本体が持ち上げられるのを阻止するようにする。本体がプレートを含む場合、第２の相互連結部材は、好ましくは、そのプレートの一部に接続され、又はそのプレートの一部を形成する。組み立て中、第２の相互連結部材のフランジは、プレートが本体の外側ケーシングに固定される前に、第１の相互連結部材のフランジの真下に滑動される。
【００１７】
本体は、非傾斜位置と傾斜位置との間でベースに対して手動で摺動可能にすることができる。これにより、例えば、傾斜位置と非傾斜位置の間でベースに対して本体を押すか又は引っ張ることによって、ベースに対して本体を容易に移動できるようになる。ベースに対する本体の手動による移動は、本体がベースに対して静止しているときには比較的簡単であるが、本体がベースに対して首振りしている間にユーザが本体をベースに対して傾斜させるのは困難な可能性があり、従って、好ましい実施形態において、ファン組立体は、傾斜軸線の周りでベースに対して本体の移動を作動させる電動式駆動機構を含む。好ましくは、駆動機構は、第３のモータと、該第３のモータによって駆動される第２の駆動部材とを備える。第３のモータはまた、好ましくは、ステッピングモータの形態である。第２の駆動部材は、好ましくは、ギアの形態であり、好ましくは、第３のモータのシャフトに接続された平歯車である。
【００１８】
第３のモータの回転の方向及び速度は、好ましくは、制御回路によって制御される。制御回路は、順方向及び逆方向の両方での設定速度で第３のモータを回転させ、ベースに対する非傾斜位置又は第１の傾斜位置と、ベースに対する第２の傾斜位置との間で本体を移動させることができる。本体は、−２０〜２０°の範囲の角度で、好ましくは−１０〜１０°の範囲の角度で傾斜軸線の周りで移動することができる。第３のモータの作動は、遠隔制御装置上の適切なボタンを押下することによってユーザが制御することができる。
【００１９】
制御回路は、第２のモータ及び第３のモータを同時に作動させ、部屋又は他の家庭環境付近でファン組立体によって発生する空気流の分配を促進するように構成することができる。ファン組立体のこの作動モードは、遠隔制御装置のボタンのうちの専用ボタンを押すことによりユーザが作動させることができる。制御回路は、ベースに対する本体の移動の複数の所定のパターンを記憶するように構成することができ、ユーザは、ファン組立体のユーザインタフェース又は遠隔制御装置を用いてこれらのパターンのうちの１つを選択することができる。
【００２０】
第３のモータは、好ましくは、本体が傾斜軸線の周りで回転するときに共に移動するよう本体に接続される。第３のモータは、好ましくは、傾斜プレート上に装着される。第２の相互連結部材が、ベースに面する傾斜プレートの表面に接続される場合、第３のモータは、好ましくは、傾斜プレートの反対側に接続される。第２の駆動部材は、好ましくは、駆動機構のモータ及び駆動部材が、駆動機構の作動時に傾斜軸線の周りで被駆動部材に対して移動するようにして、首振り機構の被駆動部材と係合する。被駆動部材は、第２の駆動部材の歯と係合するための歯のセットを含み、この歯のセットは、好ましくは、被駆動部材の中心位置に位置する。この歯のセットは、好ましくは、傾斜軸の周りに延びる。傾斜軸は、好ましくは、首振り軸線に対して実質的に直交する。
【００２１】
好ましい実施形態において、ベース及び本体の外面は、実質的に同じ輪郭を有する。例えば、ベース及び本体の外面の輪郭は、実質的に円形、楕円形、又は多面体とすることができる。
【００２２】
相互連結部材は、好ましくは、本体が非傾斜位置にあるときにベース及び本体の外面によって包囲される。これにより、ファン組立体が整然とした均一な外観を有することが可能になり、相互連結部材間への塵埃及び汚れの侵入を抑制することができる。
【００２３】
ファン組立体の内部通路及び少なくとも１つの空気出口は、好ましくは、本体上に装着され又はこれに接続されたノズルによって定められる。従って、ベース及び本体は共に、ノズルが装備されるスタンドを提供することができる。少なくとも１つの空気出口は、ノズルの前端又はこれに向けて配置することができる。或いは、少なくとも１つの空気出口は、ノズルの後端に向けて配置することができる。ノズルは、単一の空気出口又は複数の空気出口を含むことができる。１つの実施例では、ノズルは、ボアの周りに延びる単一の環状空気出口を含み、この空気出口は、円形とすることができ、又はノズルの前端の形状に一致する形状を有することができる。内部通路は、好ましくは、各々が内部通路に入る空気流のそれぞれの部分を受け取るため及びボアの周りで反対の角度方向に空気流の一部を運ぶため第１のセクション及び第２のセクションを含む。内部通路の各セクションは、それぞれの空気出口を含むことができる。ノズルは、好ましくは、ノズルの中心を通過する平面の周りで実質的に対称である。例えば、ノズルは、略円形、楕円形又は「レーストラック」形状を有することができ、ここで内部通路の各セクションは、ボアのそれぞれの側面上に位置する比較的直線状のセクションを含む。ノズルがレーストラック形状を有する場合、ノズルの各直線状セクションは、それぞれの空気出口を含むことができる。上記又は各空気出口は、好ましくは、スロットの形態である。スロットは、好ましくは、０．５〜５ｍｍの範囲の幅を有する。
【００２４】
第２の態様において、本発明は、ファン組立体のためのスタンドを提供し、該スタンドは、ベースと；少なくとも１つの空気入口、インペラ、少なくとも１つの空気入口を通じて空気流を引き込むようインペラを駆動するためのモータ、及び空気出口を含む本体と；首振り軸線の周りでベースに対して本体を首振りするためベース内に収容された電動式首振り機構と、を備え、該首振り機構が、モータと、該モータによって駆動される駆動部材と、駆動部材によって駆動されて首振り軸線の周りでベースに対して回転する被駆動部材とを含み、本体は共に回転するように被駆動部材上に装着されており、スタンドが更に、被駆動部材上で本体を保持するための相互連結部材を備え、相互連結部材は、被駆動部材上に位置する第１の相互連結部材と、本体上に位置して第１の相互連結部材によって保持される第２の相互連結部材とを含み、相互連結部材が、非傾斜位置と傾斜位置との間で首振り軸とは異なる傾斜軸線の周りでベースに対して本体の傾斜移動を案内するよう構成されている。
【００２５】
第３の態様において、本発明は、ファン組立体のためのスタンドを提供し、該スタンドは、ファン組立体の作動を制御するためのユーザインタフェースを含むベースと、ベース上に装着され、少なくとも１つの空気入口、インペラ、少なくとも１つの空気入口を通じて空気流を引き込むようインペラを駆動するためのモータ、及び空気出口を含む本体と、第１の軸線の周りでベースに対して本体を首振りするための第１の電動式駆動機構と、非傾斜位置と傾斜位置との間で第１の軸とは異なる第２の軸線の周りでベースに対して本体を移動させるための第２の電動式駆動機構と、を備える。
【００２６】
駆動機構は、好ましくは、第１の軸線の周りで本体を移動させる第１のトルクと、第２の軸線の周りで本体を移動させる第２のトルクとを発生させるために、好ましくはギアの形態の共通部材を含む。共通部材は、好ましくは、第１の駆動機構の被駆動部材である。駆動機構の各々は、好ましくは、駆動機構の共通部材と係合するためにそれぞれのモータと該モータによって駆動されるそれぞれの駆動部材とを含む。第１の駆動機構のモータ及び駆動部材は、好ましくは、ベースに接続される。第２の駆動機構のモータ及び駆動部材は、好ましくは、本体に接続される。好ましくは、駆動部材は各々、共通部材のそれぞれの部分と係合するよう構成される。例えば、第１の駆動機構の駆動部材は、共通部材の周辺部と係合することができ、第２の駆動機構の駆動部材は、共通部材の中央部と係合することができる。共通部材の各部分は、好ましくは、歯のそれぞれのセットを含む。好ましくは、第１の駆動機構の作動中に第１の駆動機構の駆動部材と共通部材の間の係合が、第１の軸線の周りで共通部材の回転をもたらし、第２の駆動機構の作動中に第２の駆動機構の駆動部材と共通部材の間の係合が、第２の軸線の周りで第２の駆動機構のモータ及び駆動部材の移動をもたらすように、歯のセットが構成される。歯の各セットは、好ましくは、第１の軸線及び第２の軸線のそれぞれの周りに延びる。第１の軸線は、好ましくは、第２の軸線に対して実質的に直交する。
【００２７】
第４の態様において、本発明は、ファン組立体を提供し、該ファン組立体は、ファン組立体の作動を制御するためのユーザインタフェースを含むベースと、ベース上に装着され、少なくとも１つの空気入口、インペラ、少なくとも１つの空気入口を通じて空気流を引き込むようインペラを駆動するためのモータを含む本体と、少なくとも１つの空気出口と、少なくとも１つの空気出口に空気を運び、少なくとも１つの空気出口から放出される空気によりそこを通ってファン組立体の外部から空気が引き込まれるボアの周りに延びる内部通路と、第１の軸線の周りでベースに対して本体を首振りするための第１の電動式駆動機構と、非傾斜位置と傾斜位置との間で第１の軸とは異なる第２の軸線の周りでベースに対して本体を移動させるための第２の電動式駆動機構とを備える。
【００２８】
本発明の第１の態様に関連して説明した特徴は、本発明の第２〜第４の態様の各々に等しく適用可能であり、逆もまた同様である。
【００２９】
以下、添付図面を参照しながら本発明の実施形態を例証として説明する。
【図面の簡単な説明】
【００３０】
【図１】ファン組立体の正面斜視図である。
【図２（ａ）】ファン組立体のノズル及び本体の一部を通る正面断面図である。
【図２（ｂ）】ファン組立体のノズル及び本体の一部を通る側断面図である。
【図３】ファン組立体のベース及びベースに対して本体を移動させるための電動式機構の分解図である。
【図４（ａ）】電動式機構のギアの側面図である。
【図４（ｂ）】上から見たギアの斜視図である。
【図５（ａ）】本体の傾斜プレートの平面図である。
【図５（ｂ）】下から見た傾斜プレートの斜視図である。
【図５（ｃ）】上から見た傾斜プレートの斜視図である。
【図５（ｄ）】傾斜プレートの背面図である。
【図６】ファン組立体の平面図である。
【図７（ａ）】図６の線Ｃ−Ｃから見たベースの側断面図である。
【図７（ｂ）】図６の線Ａ−Ａに沿って見たベースの正面断面図である。
【図７（ｃ）】図６の線Ｂ−Ｂに沿ったベースの側断面図である。
【図８（ａ）】本体がベースに対して非傾斜位置にある、ファン組立体の側面図である。
【図８（ｂ）】本体がベースに対して第１の完全傾斜位置にある、ファン組立体の側面図である。
【図８（ｃ）】本体がベースに対して第２の完全傾斜位置にある、ファン組立体の側面図である。
【図９（ａ）】本体がベースに対して第２の完全傾斜位置にある、ベースに対する本体の首振り移動サイクル中のあるステージにおけるファン組立体の正面図である。
【図９（ｂ）】本体がベースに対して第２の完全傾斜位置にある、ベースに対する本体の首振り移動サイクル中のあるステージにおけるファン組立体の正面図である。
【図９（ｃ）】本体がベースに対して第２の完全傾斜位置にある、ベースに対する本体の首振り移動サイクル中のあるステージにおけるファン組立体の正面図である。
【図１０】ファン組立体のユーザインタフェース回路及び制御回路の構成要素の概略図である。
【発明を実施するための形態】
【００３１】
図１は、ファン組立体１０の外観図である。ファン組立体１０は、スタンド１２を備え、該スタンド１２は、スタンド１２の外側ケーシングに形成された複数のアパーチャの形態の空気入口１４を有し、この空気入口を通って一次空気流が外部環境からスタンド１２内に吸い込まれる。ファン組立体１０から一次空気流を放出するための空気出口１８を有する環状ノズル１６は、スタンド１２の上側端部に接続される。
【００３２】
スタンド１２は、本体２０及びベース２２を備える。以下でより詳細に説明するように、本体２０は、ベース２２に対して移動可能である。本体２０は、第１の首振り軸線Ａの周りでベース２２に対する首振りと、第２の傾斜軸線Ｂの周りでベースに対する傾斜との両方を行うことができる。この実施例では、首振り軸線Ａは、傾斜軸線Ｂに対して略直角であり、スタンド１２の長手方向軸と略同一直線上にある。
【００３３】
ベース２２は、ユーザがファン組立体１０の作動状態を制御することを可能にするユーザ操作可能アクチュエータ２４を備える。ファン組立体１０はまた、ユーザがファン組立体１０の作動状態及び設定をファン組立体１０から離れた場所で制御可能にする遠隔制御装置２６（図１０に概略的に示す）を含む。非使用時には、遠隔制御装置２６は、ノズル１６の上面上に保管することができる。
【００３４】
ノズル１６は、環状形状を有する。図２（ａ）及び図２（ｂ）を更に参照すると、ノズル１６は、環状内壁３０の周りに延びる外壁２８を備える。この実施例では、壁２８、３０の各々は、別個の構成要素から形成される。壁２８、３０の各々は、前端及び後端を有する。外壁２８の後端は、内壁３０の後端に向かって内向きに湾曲してノズル１６の後端を定める。内壁３０の前端は、外壁２８の前端に向かって外向きに折り曲げられてノズル１６の前端を定める。外壁２８の前端は、内壁３０の前端に位置するスロットに挿入され、スロットに導入される接着剤を用いて内壁３０に接続される。
【００３５】
内壁３０は、軸線又は長手方向軸線Ｘの周りに延びて、ノズル１６のボア又は開口部３２を定める。ボア３２は、軸線Ｘに沿ってノズル１６の後端からノズル１６の前端まで直径が変化する略円形断面を有する。
【００３６】
内壁３０は、内壁３０の外面、すなわちボア３２を定める表面が複数のセクションを有するように成形される。内壁３０の外面は、凸状の後方セクション３４、外向きに広がる截頭円錐状の前方セクション３６、及び後方セクション３４と前方セクション３６との間に位置する円筒セクション３８を有する。
【００３７】
外壁２８は、本体２０の開放上側端部に接続されたベース４０を備え、該ベースは、本体２０から一次空気流を受け取るための空気入口を提供する開放下側端部を有する。外壁２８の大部分は、略円筒形状である。外壁２８は、軸線Ｘに平行でそこから離間した中心軸線又は長手方向軸線Ｙの周りに延びる。換言すると、外壁２８と内壁３０は偏心している。この実施例では、軸線Ｘは軸線Ｙの上方に位置し、軸線Ｘ、Ｙの各々は、ファン組立体１０の中心を通って垂直に延びる平面内に位置する。
【００３８】
外壁２８の後端は、内壁３０の後端と重なり合い、外壁２８の内面と内壁３０の外面との間にノズル１６の空気出口１８を定めるように成形される。空気出口１８は、軸線Ｘを中心として且つ軸線Ｘの周りに延びる略円形スロットの形態である。スロットの幅は、好ましくは、軸線Ｘの周りで実質的に一定であり、０．５〜５ｍｍの範囲である。外壁２８及び内壁３０の重なり部分は実質的に平行であり、ノズル１６のコアンダ面をもたらす内壁３０の凸状後方セクション３４上に空気を向けるように構成される。
【００３９】
外壁２８及び内壁３０は、空気出口１８に空気を運ぶための内部通路４２を定める。内部通路４２は、ノズル１６のボア３２の周りに延びる。ノズル１６の壁２８、３０の偏心を考慮すると、内部通路４２の断面積は、ボア３２の周りで異なる。内部通路４２は、各々がボア３２の周りの反対の角度方向に延びる第１及び第２の湾曲セクション４４、４６を含むと考えることができる。内部通路４２の各湾曲セクション４４、４６は、ボア３２の周りでサイズが減少する断面積を有する。
【００４０】
本体２０及びベース２２は、プラスチック材料で形成されることが好ましい。本体２０及びベース２２は、好ましくは、図８（ａ）に示すように、本体１２がベース２２に対して非傾斜位置にあるときに、本体２０の外面がベース２２の外面と実質的に同一平面上にあるように実質的に同じ外径を有する。この実施例では、本体２０及びベース２２は各々、略円筒形側壁を有する。
【００４１】
本体２０は、一次空気流がファン組立体１０に入る空気入口１４を含む。この実施例では、空気入口１４は、本体２０の外側ケーシングに形成されたアパーチャアレイを含む。或いは、空気入口１４は、本体２０の外側ケーシングに形成された窓内に装着される１又はそれ以上のグリル又はメッシュを含むことができる。本体２０は、ノズル１６のベース４０に接続して、本体２０からノズル１６に一次空気流を運ぶことができるように（図示のように）上側端部において開放されている。
【００４２】
本体２０はダクト５０を備え、ダクト５０は、該ダクト５０の空気入口５２を定める第１の端部と、第１の端部の反対側に位置してダクト５０の空気出口５４を定める第２の端部とを有する。ダクト５０は、ダクト５０の長手方向軸線が本体２０の長手方向軸と同一直線上にあり、空気入口５２が空気出口５４の下方に位置するように本体２０内で位置合わせされる。空気出口５４は、本体２０の空気出口を提供し、従って、空気がファン組立体１０のノズル１６に運ばれるスタンド１２の空気出口を提供する。
【００４３】
ダクト５０は、一次空気流をファン組立体１０の本体２０に吸い込むためのインペラ５６の周りに延びる。インペラ５６は、混合流インペラである。インペラ５６は、略円錐形のハブと、該ハブに接続される複数のインペラブレードと、ハブ及びブレードを取り囲むようにブレードに接続される略截頭円錐状のシュラウドとを備える。ブレードは、ハブと一体化されることが好ましく、ハブは、好ましくは、プラスチック材料で形成される。
【００４４】
インペラ５６は、該インペラ５６を回転軸線Ｚの周りで回転駆動するためのモータ６０から外向きに延びる回転シャフト５８に接続される。回転軸線Ｚは、ダクト５０の長手方向軸と同一直線上にあり、軸線Ｘ、Ｙに直交する。この実施例では、モータ６０は、ファン組立体１０の主制御回路６４のブラシレスＤＣモータドライバ６２によって可変の速度を有するＤＣブラシレスモータである。主制御回路６４は、図１０に概略的に示されている。以下でより詳細に説明するように、ユーザは、アクチュエータ２４又は遠隔制御装置２６を用いてモータ６０の速度を調整することができる。この実施例では、ユーザが、モータ６０のそれぞれの回転速度に各々対応する１０個の異なる速度設定のうちの１つを選択することができる。ユーザが速度設定を変更すると、現在の速度設定の数字がディスプレイ６６上に表示される。
【００４５】
モータ６０は、モータハウジング内に収容される。ダクト５０の外壁は、ダクト５０の内壁を提供するモータハウジングを取り囲む。従って、ダクト５０の壁は、ダクト５０を通って延びる環状空気流路を定める。モータハウジングは、モータ６０を支持する下側セクション６８と、下側セクション６８に接続された上側セクション７０とを含む。シャフト５８は、モータハウジングの下側セクション６８に形成されたアパーチャを通って突出し、インペラ５６をシャフト５８に接続できるようにする。モータ６０は、上側セクション７０が下側セクション６８に接続される前に、モータハウジングの下側セクション６８に挿入される。モータハウジングの下側セクション６８は、略截頭円錐形状であり、ダクト５０の空気入口５２に向かって延びる方向に内向きにテーパ付けされる。モータハウジングの上側セクション７０は、略截頭円錐形状であり、ダクト５０の空気出口５４に向かって内向きにテーパ付けされる。ダクト５０の外壁とモータハウジングの上側セクション７０との間には、環状ディフューザ７２が位置する。ディフューザ７２は、ダクト５０の空気出口５４に向かって空気流を案内するための複数のブレードを備える。ブレードの形状は、空気流がディフューザ７２を通過するときに真っ直ぐにされるようなものである。ダクト５０の外壁、ディフューザ７２及びモータハウジングの上側セクション７０には、モータ６０に電力を伝送するためのケーブルが通過する。ファン組立体１０の動作中に発生する広帯域雑音を抑制するために、モータハウジングの上側セクション７０には孔が開けられ、モータハウジングの上側セクション７０の内面は、雑音吸収材料７４、好ましくは音響発泡材で裏打ちされている。
【００４６】
ダクト５０は、本体２０内に位置する環状座部上に装着される。この座部は、座部の上面がインペラ５６の回転軸線Ｚに対して実質的に直交するように、本体２０の外側ケーシングの内面から半径方向内向きに延びる。環状シール７６は、ダクト５０と座部の間に位置する。環状シール７６は、好ましくは、発泡環状シールであり、独立気泡発泡材料から形成されるのが好ましい。環状シール７６は、座部の上面とシール係合した下面と、ダクト５０とシール係合した上面とを有する。座部は、ケーブル（図示せず）がモータ６０を通過できるようにするアパーチャを含む。環状シール７６は、ケーブルの一部を収容するための凹部を定めるように成形される。アパーチャを通る空気の漏洩を防ぐためにケーブルの周りに、及び本体２０の側壁の凹部と内面との間に１又はそれ以上のグロメット又は他のシール部材を設けることができる。
【００４７】
ここで図３〜図７を参照すると、ベース２２は、環状外側ハウジング８０と、外側ハウジング８０に固定的に接続された円形ベースプレート８２とを備える。ベースは、ユーザインタフェース回路８４を収容する。ユーザインタフェース回路８４は、プリント回路基板８６上に装着された複数の構成部品を含む。プリント回路基板８６は、ベース２２のベースプレート８２に接続されたフレーム８８内に保持される。ユーザインタフェース回路８４は、遠隔制御装置２６によって送信された信号を受信するセンサ又は受信機９０を含む。この実施例では、遠隔制御装置２６によって送出される信号は赤外光信号である。遠隔制御装置２６は、国際公開第２０１１／０５５１３４号に記載される遠隔制御装置と同様のものであり、当該特許公開の内容は引用により本明細書に組み入れられる。概説すると、遠隔制御装置２６は、ユーザにより押下可能な複数のボタンと、ボタンの１つを押下したことに応答して赤外光信号を生成し送信するための制御ユニットとを含む。赤外光信号は、遠隔制御装置２６の一方端に位置する窓から送出される。制御ユニットは、遠隔制御装置２６のバッテリハウジング内に位置するバッテリにより給電される。
【００４８】
ユーザインタフェース制御回路８４はまた、ユーザによるアクチュエータ２４の動作により作動可能なスイッチ９２を含む。この実施例では、アクチュエータ２４は、プッシュボタン式アクチュエータの形態をとり、その前面をユーザが押すことにより、アクチュエータ２４の後面６０がスイッチ９２と接触することができる。アクチュエータ２４の前面には、ベース２２の外側ハウジング８０内に形成されたアパーチャ９４を通じてアクセスすることができる。アクチュエータ２４は、スイッチ９２から離れる方向に付勢され、ユーザがアクチュエータ２４を離したときに、アクチュエータ２４の後面がスイッチ９２から離れて移動し、アクチュエータ２４とスイッチ９２との間の接触が遮断されるようになる。この実施例では、アクチュエータ２４は、１対の弾性アーム９６を含む。各アーム９６の端部は、フレーム８８のそれぞれの壁９８に隣接して位置する。ユーザがアクチュエータ２４をスイッチ９２に向けて押すと、アーム９６の端部と壁９８との間の係合により、アーム９６が弾性的に変形するようになる。ユーザがアクチュエータ２４を離すと、アーム９６が弛緩して、アクチュエータ２４がスイッチ９２から自動的に離れて移動するようになる。
【００４９】
アクチュエータ２４はまた、遠隔制御装置２６により送信されてアクチュエータ２４の前面に入射する光信号を受信機９０に伝送する機能を実行する。この実施例では、アクチュエータ２４は、例えばポリカーボネート材料などの光透過性材料から形成された単一成形部品である。アクチュエータ２４の第２の後面は、受信機９０に隣接して位置し、従って、この第２の後面と前面との間に延びるアクチュエータ２４の部分が、送信された赤外光信号のための経路を提供する。
【００５０】
ユーザインタフェース回路８４は更に、ファン組立体１０の現在の動作設定を表示するためのディスプレイ６６と、ファン組立体１０の現在の動作状態に応じて作動する発光ダイオード（ＬＥＤ）１００（図１０に概略的に示す）とを含む。ディスプレイ６６は、好ましくは、ベース２２のハウジング８０を通してディスプレイ６６がユーザに見えるように、ベース２２のハウジング８０の比較的薄い部分のすぐ裏側に位置する。この実施例では、ファン組立体１０によって空気流が生成される「オン」状態にファン組立体１０があるときに、ＬＥＤ１００が作動される。この実施例では、アクチュエータ２４はまた、ＬＥＤ１００によって放出される光をアクチュエータ２４の前面に伝達するように構成される。アクチュエータ２４は、ＬＥＤ１００に隣接して位置する第３の後面を有することができ、従って、この第３の後面と前面との間に延びるアクチュエータ２４の部分が、ＬＥＤ１００によって放出される光信号のための経路を提供する。或いは、ＬＥＤ１００を作動させると、ベース２２のハウジング８０を通してＬＥＤ１００がユーザに可視とすることができる。
【００５１】
ベース２２はまた、ユーザインタフェース回路８４に接続される主制御回路６４を収容し、これは図３〜図７に示されておらず、図１０に概略的に示されている。主制御回路６４は、マイクロプロセッサ１０２、ファン組立体１０に電力を供給するための主電力ケーブルに接続された電源ユニット１０４、及び供給電圧の大きさを検出するための供給電圧検知回路１０６を含む。マイクロプロセッサ１０２は、モータ６０を駆動するためのモータドライバ６２を制御して、インペラ５６を回転させ、空気入口１４を通じてファン組立体１０に一次空気流を吸い込む。
【００５２】
ファン組立体１０を作動させるために、ユーザが、アクチュエータ２４を押してスイッチ９２を作動させるか、又は遠隔制御装置２６の「オン／オフ」ボタンを押して赤外光信号を送信し、この赤外光信号がアクチュエータ２４を通り、ユーザインタフェース回路８４の受信機９０によって受け取られるようにする。ユーザインタフェース回路８４は、この動作を主制御回路６４に伝達し、これに応答して主制御回路６４は、モータ６０の作動を開始する。ＬＥＤ１００が作動する。主制御回路６４は、以下に示すような値の範囲からモータ６０の回転速度を選択する。各値は、ユーザ選択可能な速度設定のそれぞれに関連付けられる。
2015017610.tif 000003
【００５３】
最初に、主制御回路６４により選択される速度設定は、ファン組立体１０が前回スイッチをオフにしたときにユーザが選択していた速度設定に相当する。例えば、ユーザが速度設定７を選択していた場合、モータ６０は７，６００ｒｐｍで回転し、ディスプレイ６６上に数字「７」が表示される。
【００５４】
モータ６０がインペラ５６を回転させることにより、一次空気流が空気入口１４を通って本体２０に流入し、ダクト５０の空気入口５２を通過するようになる。この空気流は、ダクト５０を通過し、ダクト５０の空気出口５４の成形周囲面によりノズル１６の内部通路４２に案内される。内部通路４２内では、一次空気流が２つの空気ストリームに分割され、これらは、内部通路４２のそれぞれのセクション４４、４６内でノズル１６のボア３２の周りを反対の角度方向で通過する。空気ストリームが内部通路４２を通過すると、空気出口１８を通って空気が放出される。空気出口１８から一次空気流が放出されることにより、外部環境から、具体的にはノズル１６の周囲の領域から空気の同伴によって二次空気流が発生するようになる。この二次空気流が一次空気流と組み合わさり、ノズル１６から前方に放出される複合的又は全体的な空気流又は気流を生じる。
【００５５】
ユーザが、遠隔制御装置２６を使用してファン組立体１０をオンにした場合、ユーザは、遠隔制御装置２６上の「速度アップ」ボタン又は遠隔制御装置２６上の「速度ダウン」ボタンの何れかを押すことにより、モータ６０の回転速度を変更することができる。ユーザが「速度アップ」ボタンを押した場合、遠隔制御装置２６は、固有の赤外制御信号を送信し、これがユーザインタフェース回路８４の受信機９０によって受け取られる。ユーザインタフェース回路８４は、この信号を受け取ったことを主制御回路６４に伝達し、主制御回路６４は、これに応答して、モータ６０の回転速度を次に高い速度設定に関連付けられる速度まで増大させ、当該速度設定をディスプレイ６６上に表示するようにユーザインタフェース回路８４に命令する。ユーザが遠隔制御装置２６の「速度ダウン」ボタンを押した場合、遠隔制御装置２６は、異なる固有の赤外制御信号を送信し、これがユーザインタフェース回路８４の受信機９０によって受け取られる。ユーザインタフェース回路８４は、この信号を受け取ったことを主制御回路６４に伝達し、主制御回路６４は、これに応答して、モータ６０の回転速度を次に低い速度設定に関連付けられた速度にまで低下させ、当該速度設定をディスプレイ６６上に表示するようにユーザインタフェース回路８４に命令する。
【００５６】
ユーザは、遠隔制御装置２６の「オン／オフ」ボタンを押すことによりファン組立体１０をオフにすることができる。遠隔制御装置２６は、赤外制御信号を送信し、これがユーザインタフェース回路８４の受信機９０によって受け取られる。ユーザインタフェース回路８４は、この信号を受け取ったことを主制御回路６４に伝達し、これに応答して主制御回路６４は、モータ６０及びＬＥＤ１００を非作動にする。ユーザは、アクチュエータ２４をスイッチ９２に押し付けることにより、ファン組立体１０をオフにすることができる。
【００５７】
上述のように、本体２０は、第１の首振り軸線Ａの周りでのベース２２に対する首振り、及び第２の傾斜軸線Ｂの周りでのベース２２に対する傾斜の両方を行うことができる。これらの軸線は、図８（ａ）において識別される。首振り軸線Ａは、インペラ５６の回転軸線Ｚと実質的に同一直線上にあるのに対し、傾斜軸線Ｂは、首振り軸線Ａ及び軸線Ｘ、Ｙに対して実質的に直交している。
【００５８】
ベース２２は、首振り軸線Ａの周りでベース２２に対して本体２０を首振りするための電動式首振り機構を収容する。首振り機構は、モータ１１０を備え、好ましくは、ステッピングモータの形態である。モータ１１０は、ベース２２のベースプレート８２に接続され、ベース２２に対する本体２０の首振り移動中にモータ１１０がベース２２に対して固定位置にとどまるようにする。モータ１１０は、ギアトレインを駆動するよう構成される。ギアトレインは、モータ１１０から突出した回転シャフト１１４に接続された駆動ギア１１２と、駆動ギア１１２によって駆動されて首振り軸線Ａの周りで回転する被駆動ギア１１６とを含む。駆動ギア１１２及び被駆動ギア１１６の各々は、好ましくは、平歯車の形態であり、駆動ギア１１２は、首振り軸線Ａに平行でこれから離間した軸線の周りで回転する。駆動ギア１１２は、被駆動ギア１１６の周辺部上に設けられた歯１１８のセットと噛み合って首振り軸線Ａの周りで被駆動ギア１１６を回転させる歯のセットを有する。この実施例では、ギアトレインのギア比は約６．６：１である。被駆動ギア１１６を支持しベース２２に対して回転させるために、ベース２２内に軸受が設けられる。これらの軸受は、被駆動ギア１１６のシャフト１２２と係合する下側軸受１２０と、被駆動ギア１１６の下面（図示のように）を支持するためのベースプレート８２上に装着されるスラスト軸受１２４とを含む。環状滑り軸受１２６は、歯１１８のセットの上面上に装着され、被駆動ギア１１６の上面とベース２２のハウジング８０の間のあらゆる接触が生じた場合に、被駆動ギア１１６がベース８２に対して回転し続けることを保証することができる。
【００５９】
スタンド１２の本体２０は、共に回転するよう被駆動ギア１１６上に装着される。被駆動ギア１１６は、被駆動ギア１１６の上に本体２０を保持するために本体２０上に位置するそれぞれの第２の相互連結部材と各々が協働する複数の第１の相互連結部材を含む。相互連結部材はまた、被駆動ギア１１６に対して、従ってベース２２に対して本体２０の傾斜移動を案内する働きをし、その結果、本体２０が傾斜位置から離れるか又は傾斜位置に向かって移動するときにベース２２に対する本体２０の捩り又は回転が実質的に存在しなくなる。
【００６０】
図４（ａ）及び図４（ｂ）を参照すると、第１の相互連結部材の各々は、ベース２２に対して本体２０の移動方向に延びる。第１の相互連結部材は、被駆動ギア１１６の凹状上面１２８に接続され、好ましくは、一体化される。この実施形態では、被駆動ギア１１６は、２つの比較的短い外側相互連結部材１３０と、外側相互連結部材１３０間に位置する単一の比較的長い内側相互連結部材１３２とを含む。外側相互連結部材１３０の各々は、逆Ｌ字形の形態の断面を有する。外側相互連結部材１３０の各々は、被駆動ギア１１６の上面に接続されてこれから直立している壁１３４と、壁１３４の上側端部に接続されてこれに対して直交する湾曲フランジ１３６とを含む。内側相互連結部材１３２はまた、逆Ｌ字形の形態の断面を有する。内側相互連結部材１３２は、被駆動ギア１１６の上面に接続されてこれから直立している壁１３８と、壁１３８の上側端部に接続されてこれに対して直交する湾曲フランジ１４０とを含む。被駆動ギア１１６はまた、ケーブルが主制御回路６４からモータ６０に通過することを可能にするアパーチャ１４２を含む。
【００６１】
本体２０は、略円筒形の外側ケーシング１４８と、外側ケーシング１４８の下側端部に接続された凸状傾斜プレート１５０と、を備える。傾斜プレート１５０は、図５（ａ）〜図５（ｄ）における外側ケーシング１４８から分離した状態で示されている。傾斜プレート１５０の下面１５２は凸状形状であり、被駆動ギア１１６の上面１２８の曲率と実質的に同じ曲率を有する。傾斜プレート１５０は、複数の第２の相互連結部材を備え、これらは各々、被駆動ギア１１６のそれぞれの第１の相互連結部材によって保持されて、被駆動ギア１１６に本体２０を接続する。傾斜プレート１５０は、傾斜プレート１５０の複数の湾曲レールを定める複数の平行溝を含む。溝は、１対の外側レール１５４及び内側レール１５６を定め、これらのレール１５４、１５６は、本体２０の第２の相互連結部材を提供する。外側レール１５４の各々は、傾斜プレート１５０のそれぞれの溝に延びて被駆動ギア１１６のフランジ１３６の曲率と実質的に同じ曲率を有するフランジ１５８を含む。内側レール１５６はまた、傾斜プレート１５０のそれぞれの溝に延びて被駆動ギア１１６のフランジ１４０の曲率と実質的に同じ曲率を有するフランジ１６０含む。アパーチャ１６２は、傾斜プレート１５０内に形成され、ケーブルが傾斜プレート１５０を通ってモータ６０に延びることを可能にする。
【００６２】
スタンド１２は、本体２０が傾斜軸線Ｂの周りでベース２２に対して手動で移動可能であるように配置することができる。この場合、本体２０を被駆動ギア１１６に接続するために、傾斜プレート１５０は、図５（ａ）に示す向きから反転される。ケーブルは、アパーチャ１４２、１６２を通じて送り込まれ、次いで、傾斜プレート１５０が被駆動ギア１１６にわたって滑動されて、図７（ｂ）に示すように、各外側レール１２８のフランジ１５８が被駆動ギア１１６のそれぞれのフランジ１３６の真下に位置するように、且つ内側レール１５６のフランジ１６０が被駆動ギア１１６のフランジ１４０の真下に位置するようになる。傾斜プレート１５０を被駆動ギア１１６の上の中心に位置決めすると、本体２０の外側ケーシング１４８は傾斜プレート１５０上に降下される。次に、本体２０及びベース２２が反転されて、本体２０を被駆動ギア１１６に対して傾斜させ、傾斜プレート１５０上に位置する第１の複数のアパーチャ１６４を露わにする。これらのアパーチャ１６４の各々は、本体２０の外側ケーシング１４８上のそれぞれの管状突起１６５（図７（ｂ）に示す）と位置合わせされる。セルフタッピングねじをアパーチャ１６４の各々にねじ込んで、下にある突起１６５に侵入させ、これにより傾斜プレート１５０を外側ケーシング１４８に部分的に接続する。次いで、本体２０は、逆方向に傾斜して、傾斜プレート１５０上に位置する第２の複数のアパーチャ１６６を露わにする。これらのアパーチャ１６６の各々はまた、本体２０の外側ケーシング１４８上の管状突起１６７（そのうちの１つを図７（ａ）及び図７（ｃ）に示す）と位置合わせされる。セルフタッピングねじをアパーチャ１６６の各々にねじ込んで、下にある突起１６７に侵入させ、外側ケーシング１４８への傾斜プレート１５０の接続が完了する。
【００６３】
主制御回路６４は、首振り機構のモータ１１０を駆動するための首振りモータ制御回路１７０を含む。首振り機構の作動は、遠隔制御装置２６から適切な制御信号を受け取ったときに主制御回路６４によって制御される。主制御回路６４は、遠隔制御装置２６のそれぞれのボタンを押下することによってユーザが選択できる１又はそれ以上の所定の首振りパターンで、ベース２２に対して本体２０を首振りするようにモータ１１０を制御するよう構成することができる。これらの首振りパターンにおいて、モータ１１０は、順方向及び逆方向に交互に駆動され、ベース２２に対して本体２０を首振りする。モータ１１０は、首振りサイクル中に設定速度で又は可変の速度で本体２０を回転させるよう駆動することができる。例えば、本体２０は、首振りサイクル中に正弦的に変化する速度でベースに対して首振りすることができる。或いは、又はこれに加えて、首振り速度は、遠隔制御装置２６を用いて首振りサイクル中に変更することができる。各首振りサイクル中、本体２０は、０〜３６０°の範囲の角度で、好ましくは６０〜２４０°の範囲の角度で首振り軸線Ａの周りで回転することができる。各首振りサイクルは、９０°、１２０°及び１８０°などのそれぞれの異なる首振り角度を有することができる。例えば、図９（ａ）〜図９（ｃ）に示す首振りパターンにおいて、主制御回路６４は、約９０°の角度でベース２２に対して本体２０を首振りし、１分当たり約３〜５首振りサイクルを実施するよう構成される。
【００６４】
上述のように、スタンド１２は、本体２０が傾斜軸線Ｂの周りでベース２２に対して手動で移動可能であるように構成することができる。しかしながら、図示の実施形態では、スタンド１２は、傾斜軸線Ｂの周りでのベース２２に対する本体２０の移動を駆動するための電動式駆動機構を含む。駆動機構は、モータ１７２を備え、好ましくは、ステッピングモータの形態である。モータ１７２は、ベース２２に対して本体２０の傾斜移動中に本体２０に対して固定位置にとどまるように本体２０に接続される。本実施形態では、モータ１７２は、傾斜プレート１５０上に装着される。モータ１７２は、傾斜プレート１５０の上面に取り付けられ、好ましくは一体化されるモータマウント１７４に接続される。モータ１７２は、モータ１７２から突出する回転シャフト１７８に接続された駆動ギア１７６を駆動するよう構成される。駆動ギア１７６は、好ましくは、平歯車の形態であり、該平歯車は、モータ１７２により駆動されて、傾斜軸線Ｂに平行でこれから離間した軸線の周りで回転する。
【００６５】
駆動ギア１７６は、電動式首振り機構の被駆動ギア１１６と係合するよう構成される。アパーチャ１８０は、傾斜プレート１５０内に形成され、該傾斜プレート１５０を通じて駆動ギア１７６が突出して被駆動ギア１１６と係合する。駆動ギア１７６は、モータ１７２及び駆動ギア１７６が駆動機構の作動時に傾斜軸線Ｂの周りで被駆動ギア１１６に対して移動して、本体２０が傾斜軸線Ｂの周りでベース２２に対して移動するように、首振り機構の被駆動ギア１１６と係合する。被駆動ギア１１６は、駆動ギア１７６の歯と係合するために第２のセットの歯１８２を含む。この第２のセットの歯１８２は、被駆動ギア１１６の上面の中央部上に位置し、傾斜軸線Ｂの周りに延びる。第２のセットの歯１８２は、回転駆動ギア１７６との係合により、首振り軸線Ａの周りで被駆動ギア１１６の移動が実質的にないように位置合わせされ、従って、トルクは、被駆動ギア１１６によって駆動ギア１７６に伝達され、モータ１７２及び駆動ギア１７６が傾斜軸線Ｂの周りで被駆動ギア１１６に対して移動するようになる。従って、首振り機構の被駆動ギア１１６は、駆動機構のギアトレインの一部を提供する。この実施例では、駆動機構のギアトレインのギア比は約１１．７：１である。
【００６６】
主制御回路６４は、駆動機構のモータ１７２を駆動するための駆動モータ制御回路１８４を備え、従って、ケーブルは、ベース２２に位置する主制御回路６４から本体２０に位置するモータ１７２まで延びる。このケーブルはまた、被駆動ギア１１６及び傾斜プレート１５０内に形成されたアパーチャ１４２、１６２を通過する。組み立て中、モータ１７２及び駆動ギア１７６は、傾斜プレート１５０が被駆動ギア１１６に接続される前に傾斜プレート１５０に接続される。駆動機構の作動は、遠隔制御装置２６から適切な制御信号を受信したときに主制御回路６４によって制御される。例えば、遠隔制御装置２６は、反対方向にモータ１７２を駆動するためのボタンを含み、図８（ａ）に示すようにベース２２に対して非傾斜位置から、図８（ｂ）に示すようなベースに対して第１の完全に傾斜した位置と図８（ｃ）に示すようなベースに対して第２の完全に傾斜した位置のうちの選択された一方に向けて、その後、これらの２つの完全に傾斜した位置の間のあらゆる位置まで本体２０を移動させるようにすることができる。本体は、−２０〜２０°の範囲の角度で、好ましくは−１０〜１０°の範囲の角度で傾斜軸線の周りで移動することができる。
【００６７】
主制御回路６４は、モータ１７２を制御して、遠隔制御器２６のそれぞれのボタンを押すことによってユーザにより選択することができる１又はそれ以上の所定の傾斜パターンで、ベース２２に対して本体２０を傾斜させるように構成することができる。これらの傾斜パターンにおいて、モータ１１０は、順方向及び逆方向に交互に駆動され、傾斜軸線Ｂの周りで及び２つの完全に傾斜した位置の間でベース２２に対して本体２０を首振りする。モータ１７２を駆動して、このような傾斜サイクル中に設定速度で又は可変速度で本体２０を傾斜させることができる。
【００６８】
主要制御回路６４は、モータ１１０、１７２を同時に作動させて、部屋又は他の家庭環境付近でファン組立体によって発生する空気流の分配を促進するように構成することができる。ファン組立体１０のこの作動モードは、遠隔制御装置２６のボタンのうちの専用ボタンを押すことによりユーザが作動させることができる。主制御回路６４は、ベース２２に対する本体２０の移動の複数の所定のパターンを記憶するように構成することができ、ユーザは、遠隔制御装置２６を用いてこれらのパターンのうちの選定パターンを選択することができる。
【図１】
2015017610.tif 000004
【図２（ａ）】
2015017610.tif 000005
【図２（ｂ）】
2015017610.tif 000006
【図３】
2015017610.tif 000007
【図４（ａ）】
2015017610.tif 000008
【図４（ｂ）】
2015017610.tif 000009
【図５（ａ）】
2015017610.tif 000010
【図５（ｂ）】
2015017610.tif 000011
【図５（ｃ）】
2015017610.tif 000012
【図５（ｄ）】
2015017610.tif 000013
【図６】
2015017610.tif 000014
【図７（ａ）】
2015017610.tif 000015
【図７（ｂ）】
2015017610.tif 000016
【図７（ｃ）】
2015017610.tif 000017
【図８（ａ）】
2015017610.tif 000018
【図８（ｂ）】
2015017610.tif 000019
【図８（ｃ）】
2015017610.tif 000020
【図９（ａ）】
2015017610.tif 000021
【図９（ｂ）】
2015017610.tif 000022
【図９（ｃ）】
2015017610.tif 000023
【図１０】
2015017610.tif 000024
【外国語明細書】
2015017610000001.pdf